(57)【特許請求の範囲】
【請求項１】
電源供給系統毎にまとめられた一群の各遊技機へ電源を投入する遊技機用電源投入装置において、
基電源側の電圧を上記各遊技機に適応する電圧に変換する電圧変換手段と、
遊技機に電源を投入する時間を遅延制御する電源投入手段と、
上記各遊技機に電源を入力する電源入力部と、
上記各遊技機の上記電源入力部に亘り接続する接続電源出力部と、
上記各遊技機への遅延電源を出力する遅延電源出力部とを含み、
上記電圧変換手段は遅延電源出力部側に位置させると共に上記電源投入手段は電源入力部側に位置させ、
一群の遊技機数に対応する複数台を、基電源側より順次、上記接続電源出力部と電源入力部を介して亘り接続すると共に、上記遅延電源出力部を介しておのおのに遊技機を接続して上記電源投入手段により遊技機へ電力が投入される時間を遅延させると共に、各台毎の遅延時間を累積させて、各遊技機に電源が投入される上記遅延させる時間を相違させている遊技機用電源投入装置。
【発明の詳細な説明】
【０００１】
【発明の属する技術分野】
本発明は、遊技機用電源投入装置に関し、詳しくは、パチンコ機等の各種遊技機において、複数台の遊技機に電源を投入する際、各遊技機毎に電源投入時期を遅延かつ相違させるものである。
【０００２】
【従来の技術】
従来、遊技機として、例えば、パチンコ機はパチンコ店内で多数の台が所要台数毎にまとめられて配置されており、このまとめられた一区分を一般に島と称している。通常、一つの島には２０台程度のパチンコ機が配置されている。
【０００３】
また、各パチンコ機への電源供給は、効率的な供給を行うために一つの電源供給系統毎に数台のパチンコ機がまとめられて接続されている。通常は、接続に使用される電線径による制限から一つの電源供給系統には６台程度を上限としてパチンコ機が接続されており、よって、一つの島に２０台のパチンコ機が配置されている場合であれば、電源供給系統が三系統分必要となる。
【０００４】
図８は、従来の各パチンコ機への電源供給回路１の一部を示している。基電源Ｄ（交流１００Ｖ）からの電源は、ブレカー３のオン・オフにより一つの島Ｓへの電源の供給および遮断を行えるようにしている。上記ブレカー３を介する三系統の電源供給系統Ｋ１、Ｋ２、Ｋ３の接続元毎には、交流１００Ｖを交流２４Ｖに変換する電圧変換器であるトランス４−１〜３を接続し、各系統の計１８台のパチンコ機５（５−１〜１８）に交流２４Ｖを供給している。
【０００５】
上記接続されているパチンコ機５は各種機能の制御用にマイクロコンピュータを内蔵しており、パチンコ機が、いわゆる大当たりになる確率は上記マイクロコンピュータに取り付けるＲＯＭ等（read only memory）に記憶されたソフトウエアにより決定される。上記ソフトウエアは電源投入により立ち上がり、特定の周期やタイミング等で動き始めて各種制御を行っている。
【０００６】
【発明が解決しようとする課題】
各パチンコ機５を作動するために、ブレカー３をオンすると、ブレカー３以降の回路には一斉に電流が流れるため、一つの島Ｓに配置された複数台のパチンコ機５に電源が同時に投入される。パチンコ機５に電源が供給されると、上記マイクロコンピュータのソフトウエアも立ち上がるが、各パチンコ機５への電源投入時期が同時なので、各パチンコ機５のソフトウエアの立ち上がり時も同時になる。例えば、図８に示すように一つの島Ｓにパチンコ機が１８台接続されていれば、１８台のパチンコ機のソフトウエアが同時に立ち上がることになる。
【０００７】
パチンコ機の遊技者の中には、上記パチンコ機のソフトウエアを解析すると共に、ソフトウエアの動作周期や制御タイミング等を測る手段（以下、「体感器」という）を用いてパチンコ玉が出やすい状況、いわゆる大当たりを狙う者がいる。上記体感器を使用する者は複数で集団を形成して同じ島のパチンコ機で同時に遊技し、上記体感器で一人が大当たりのタイミングを掴むと、当該集団の他の体感器の使用者も、そのタイミングに追従して同じ操作を行うことで、一斉に大当たりの状態を得る等の行為を行っている問題がある。
【０００８】
本発明は、上記した問題に鑑みて行われたものであり、同じ島の各パチンコ機への電源投入時期を各パチンコ機毎に遅延相違させることにより、ソフトウエアの立ち上げ時期も相違させ、大当たりの同時多発を防止することを課題としている。
【０００９】
【課題を解決するための手段】
上記課題を解決するために、本発明は、電源供給系統毎にまとめられた一群の各遊技機へ電源を投入する遊技機用電源投入装置において、
基電源側の電圧を上記各遊技機に適応する電圧に変換する電圧変換手段と、
遊技機に電源を投入する時間を遅延制御する電源投入手段と、
上記各遊技機に電源を入力する電源入力部と、
上記各遊技機の上記電源入力部に亘り接続する接続電源出力部と、
上記各遊技機への遅延電源を出力する遅延電源出力部とを含み、
上記電圧変換手段は遅延電源出力部側に位置させると共に上記電源投入手段は電源入力部側に位置させ、
一群の遊技機数に対応する複数台を、基電源側より順次、上記接続電源出力部と電源入力部を介して亘り接続すると共に、上記遅延電源出力部を介しておのおのに遊技機を接続して上記電源投入手段により遊技機へ電力が投入される時間を遅延させると共に、各台毎の遅延時間を累積させて、各遊技機に電源が投入される上記遅延させる時間を相違させている遊技機用電源投入装置を提供している。
【００１０】
このように電圧変換手段と電源投入手段とを有する遊技機用電源投入装置を各遊技機毎に接続することで、各遊技機への電源投入時期を随時遅延させることができ、それに伴い各遊技機に導入されているソフトウエアの立ち上げ時も相違させることができる。なお、遊技機としては、パチンコ機等で各機能を制御するマイクロコンピュータを内蔵するものを対象としている。
【００１１】
上記のように、上記電圧変換手段は遅延電源出力部側に位置させると共に上記電源投入手段は電源入力部側に位置させ、上記亘り接続により、各台毎の遅延時間を累積させて各遊技機に電源が投入される時間を相違させる構成としている。一つの電源供給系統における各遊技機の接続は、基電源からの電源供給系統の接続元となる箇所から延出する電線に一台目の遊技機用電源投入装置を接続し、２台目以降の遊技機用電源投入装置を順次亘り接続すると共に、各遊技機用電源投入装置毎にパチンコ機等の遊技機を接続する。
【００１２】
このような接続配置関係にすると、各遊技機用電源投入装置の電源投入手段の遅延時間を一定に設定しても、後に接続される遊技機毎には、亘り接続による遅延時間が順次累積されて、各遊技機への電源投入時間を相違させて遅延できる。例えば、上記電源投入手段の遅延時間を２秒に設定すると、一台目の遊技機にはブレーカーをオンしてから２秒後に電源が投入され、二台目は４秒後、三台目は６秒後と、２秒ごとに遅延できる。また、上記のように電源投入手段は設定時間が一種類だけで済むので、電源投入手段の内部構造も簡易にでき、製作に要するコストも低減できる。
【００１３】
なお、上記とは異なる接続配置関係として、上記電圧変換手段は電源入力部側に位置させると共に上記電源投入手段は遅延電源出力部側に位置させる構成としてもよい。上記のような接続配置にすると、電源投入手段は、電圧変換手段で変換された後の電圧に対応すればよいため、電圧に対する回路的な負担を軽減できる。例えば、基電源の交流１００Ｖを、電圧変換手段で交流２４Ｖに変換すれば、電源投入手段は低い電圧の交流２４Ｖに適応すればよいので、電源投入手段の内部回路の電圧負担を抑えることができる。上記接続配置関係の場合は、電源投入手段の設定時間は累積されないので、各電源投入手段毎に異なる遅延時間を設定している。
【００１４】
さらに、基電源側の電圧を遊技機に適応する電圧に変換する電圧変換器を有する電源供給回路の電源供給系統毎にまとめられた一群の各遊技機へ電源を投入する遊技機用電源投入装置において、
遊技機に電源を投入する時間を遅延制御する電源投入手段と、
電源が入力される電源入力部と、
遊技機への遅延電源を出力する遅延電源出力部とを含み、
一群の遊技機数に対応する複数台を基電源側と接続される遊技機毎へ上記接続電源出力部と電源入力部を介して接続することにより、上記電源投入手段で遊技機へ電力が投入される時間を遅延させる構成としてもよい。
【００１５】
上記のような電圧変換手段を含まない遊技機用電源投入装置は、従来の各電源供給系統毎に電圧変換器を有する場合にも適用でき、また、各遊技機毎に電圧変換器を有して場合等にも適用でき、種々の電源回路に用いることができる。また、上記遊技機用電源投入装置には、相互に亘り接続を行う接続電源出力部を設けて、遊技機用電源投入装置により各遊技機への亘り接続を行えるようにしてもよい。
【００１６】
また、上記電源投入手段は投入時間設定スイッチを有し、該スイッチのオン・オフの設定により電源投入の遅延時期を夫々相違させて設定可能としてもよい。このように、投入時間設定スイッチを設けると、上述した電圧変換手段は電源入力部側に位置させると共に上記電源投入手段は遅延電源出力部側に位置させる構成にした場合等においても、各遊技機用電源投入装置毎に容易に異なる電源投入遅延時間を設定できる。例えば、投入時間設定スイッチを４個設けるとすると、各スイッチのオン・オフにより２の４乗通りの信号を作ることができ、これら各信号に０秒から１５秒で１秒ごとの遅延時間を割り当てれば、１６台の遊技機の電源投入時間を相違させることができる。
【００１７】
【発明の実施の形態】
以下、実施形態を図面を参照して説明する。
図１は、本発明に係わる第一実施形態の遊技機用電源投入装置１０の内部回路を示しており、電源投入時期を遅延制御する電源投入手段として電源投入回路１１（図中、一点鎖線で囲んだ部分）および基電源の電圧を遊技機に適応する電圧に変換する電圧変換手段としてトランス１２を含んでいる。
【００１８】
電源投入回路１１は、トランジスタ１３、リレー１４、ダイオード１５等を含んでおりリレー１４の接点１４ａを、電源が入力される電源入力部１０ａと亘り接続用の接続電源出力部１０ｂを含む接続用回路１１ａ（図中、太線で示す）に介在させている。上記トランジスタ１３はベース−エミッタ間が所要電圧になると、リレー１４に所要電流が流れて接点１４ａを閉じて遅延電源を出力するようにしている。本実施形態では、電源入力部１０ａに電源が入力されてから、接点１４ａが閉じて接続電源出力部１０ｂより電源が出力されるまでの時間を２秒に設定している。また、トランジスタ１３、リレー１４等を適宜、所要容量のものに変更することで出力遅延時間を変更できる。なお、電源出力中はダイオード１５に電流が流れてダイオード１５が発光し、電源出力状態を目視確認可能にしている。
【００１９】
一方、トランス１２は、一次側１２ａの基電源の電圧を変換して、二次側１２ｂへ遊技機に適した電圧にするためのものであり、二次側１２ｂを延在させて遊技機への遅延電源を出力する遅延電源出力部１０ｃとしている。本実施形態では、基電源を交流１００Ｖ、遊技機に交流２４Ｖ対応のパチンコ機を使用しているので、トランス１２は交流１００Ｖを交流２４Ｖに変換している。
【００２０】
遊技機用電源投入装置１０は上記のように電源投入回路１１とトランス１２を配置することで、電源投入回路１１を電源入力部１０ａ側に位置づけると共にトランス１２を接続電源出力部１０ｂ側に位置づけている。
【００２１】
図２は、一つの島Ｓにおける上記遊技機用電源投入装置１０を組み込んだ電源供給回路２０であり、基電源Ｄ（ＡＣ１００Ｖ）から各パチンコ機５（５−１〜１８）への電源供給を行っている。多数のパチンコ機５は配列されて一つの島Ｓを形成すると共に、他の箇所でも同様に多数のパチンコ機を配列して他の島を形成しており、基電源Ｄと各島の間には夫々ブレーカー２１を介在させ、ブレーカー２１へのオン・オフにより夫々島Ｓへ電源を供給している。本実施形態では、一つの島Ｓに１８台のパチンコ機５（５−１〜１８）を配列接続している。
【００２２】
また、一つの島Ｓには、各パチンコ機５の接続に使用される電線径の制限より、電源供給系統を３系統Ｋ１、Ｋ２、Ｋ３に分けており、各電源供給系統毎にまとめて一群のパチンコ機を接続している。本実施形態では各系統毎に６台のパチンコ機５を接続し、これら各パチンコ機への接続はパチンコ機と同数の遊技機用電源投入装置１０（１０−１〜１８）を介して行っている。
【００２３】
一つの電源供給系統Ｋ１における一群のパチンコ機５（５−１〜６）への接続はブレーカー２１より延在する電線１３−１は一台目の遊技機用電源投入装置１０−１の電源入力部１０ａ−１に接続している。接続電源出力部１０ｂ−１は２台目の遊技機用電源投入装置１０−２の電源入力部１０ａ−２と電線１３−２で亘り接続されており、また、遅延電源出力部１０ｃ−１には一台目のパチンコ機５−１を接続している。
【００２４】
２台目の遊技機用電源投入装置１０−２も上記同様に接続電源出力部１０ｂ−２と三台目の遊技機用電源投入装置１０−３の電源入力部１０ａ−３とを電線１３−３で亘り接続すると共に遅延電源出力部１０ｃ−２には二台目のパチンコ機５−２を接続している。以下、６台目の遊技機用電源投入装置１０−６まで同様に亘り接続すると共に各遊技機電源投入装置毎にパチンコ機を接続している。なお、６台目の遊技機用電源投入装置１０−６の接続電源出力部１０ｂ−６には何も接続していない。残りの電源供給系統Ｋ２、Ｋ３でも上記電源供給系統Ｋ１の接続と同様に行っている。
【００２５】
上記のように接続された一つの島Ｓにおける１８台のパチンコ機５に電源を投入するために、ブレーカー２１をオンすると、まず、一台目の遊技機用電源投入装置１０−１にＡＣ１００Ｖの電源が電源入力部１０ａ−１より入力される。この入力を受けて電源投入装置内の電源投入回路により、入力から２秒後にＡＣ１００Ｖの電源が接続電源出力部１０ｂ−１から出力されると共に、同時に電源投入装置内のトランス１２へも電源が送られ、該トランスでＡＣ２４Ｖに変換された電源が遅延電源出力部１０ｃ−１より１台目のパチンコ機５−１へ投入される。
【００２６】
２台目の遊技機用電源投入装置１０−２には、ブレーカー２１のオン時から２秒遅延してＡＣ１００Ｖが電源入力部１０ａ−２より入力され、２台目の電源投入装置の電源投入回路で２秒遅延してＡＣ１００Ｖの電源を接続電源出力部１０ｂ−２から出力すると共に、同時にトランス１２でＡＣ２４Ｖに変換された電源が遅延電源出力部１０ｃ−２より２台目のパチンコ機５−２へ投入されている。よって、２台目のパチンコ機５−２には、１台目の遊技機用電源投入装置１０−１による２秒と、２台目の遊技機用電源投入装置１０−２による２秒が累積されて、ブレーカー２１のオン時から計４秒遅延して電源が投入されている。
【００２７】
以下、同様に３台目のパチンコ機５−３には、１台目の遊技機用電源投入装置１０−１による２秒と、２台目の遊技機用電源投入装置１０−２による２秒と、３台目の遊技機用電源投入装置１０−３による２秒が累積されてブレーカー２１のオン時から計６秒電源投入時間が遅延され、４台目のパチンコ機５−４には８秒、５台目のパチンコ機５−５には１０秒、６台目のパチンコ機５−６には１２秒、夫々電源投入時間が遅延されている。
【００２８】
他の電源供給系統Ｋ２、Ｋ３でも同様に電源投入時間が遅延されるので、結果として一つの島Ｓでは、ブレーカー２１のオンから２秒後にパチンコ機５−１、７、１３の計３台に電源が投入され、以下、４秒後にパチンコ機５−２、８、１４、６秒後にパチンコ機５−３、９、１５、８秒後にパチンコ機５−４、１０、１６、１０秒後にパチンコ機５−５、１１、１７、１２秒後にパチンコ機５−６、１２、１８へ夫々電源が投入される。
【００２９】
よって、同じ時間に立ち上がるパチンコ機は３台に限定されるので、一台のパチンコ機で大当たり等のタイミングの同期が取られても、他のパチンコ機への波及は他に２台に抑えることができ、大当たりが一つの島の全台へ波及することを防止できる。また、各電源供給系統Ｋ１からＫ３毎にブレーカーを設けると、各パチンコ機５−１〜１８への電源投入時間を全て相違させることもでき、この場合は、大当たりの波及を完全に防止することができる。なお、同じ時期に立ち上がるパチンコ機の台数を少数に限定しなくてもよい場合等は、必ずしも、各パチンコ機に対応させて同数の遊技機用電源投入装置を接続させる必要はなく、使用状況に応じて遊技機用電源投入装置を使用する数を、例えば、５台目と６台目のパチンコ機の間には電源投入装置を介在させずに亘り接続等を行うことで、電源投入装置の接続数を適宜減少させてもよい。
【００３０】
図３は、参考の第二実施形態の遊技機用電源投入装置５０の内部回路であり、ＩＣ（integrated circuit）６０、４つのディップスイッチ６１−１、２、３、４、リレー６２、ダイオード６３等を含む電源投入回路５１（図中、一点鎖線で囲んだ部分）を電源投入時間を遅延させる電源投入手段としており、基電源の電圧を遊技機に適応する電圧に変換する電圧変換手段としてトランス５２を用いている。遊技機用電源投入装置５０は電源入力部５０ａと亘り接続用の電源出力部５０ｂをトランス５２の一次側５２ａに接続しており、トランス５２の二次側５２ｂと電源投入回路５１が接続され、電源投入回路５１の遅延出力部５１ａを各パチンコ機への遅延電源出力部５０ｃとしている。
【００３１】
なお、トランス５２は第一実施形態同様、基電源の電圧を各パチンコ機に適応した電圧に変換しており、本実施形態でも交流１００Ｖを交流２４Ｖに変換している。このように、電源投入回路５１にかかる電圧は、トランス５２により低くされているため、電源投入回路５１にかかる負担は、第一実施形態の電源投入装置１０の電源投入回路１１に比べて軽減されている。
【００３２】
電源投入回路５１におけるディップスイッチ６１−１〜４は、各スイッチ毎にオン・オフの２種類の状態に切替可能であり、４つのスイッチを組み合わせることで、２の４乗、即ち１６通りの信号をＩＣ６０に入力するようにしている。ＩＣ６０は各ディップスイッチ６１−１〜４の信号入力状態によりリレー６２へ流す電流の時期を種々変化させ、その結果、リレー６２の接点６２ａが閉じて遅延電源出力部５０ｃより電源が出力される時間を電源入力部５０ａから電源が入力された時から種々設定して遅延させている。
【００３３】
具体的な４つのディップスイッチ６１−１〜４のオン・オフの組み合わせ入力によるＩＣ６０からの出力遅延時間の割り当てを以下の表１に示す。
【００３４】
【表１】
0003720661.tif 000002
【００３５】
表１に示すように、ディップスイッチ６１−１〜４が全てオフの場合は遅延時間が０秒になるようにしており、以下ディップスイッチ６１−１のみがオンの時は１秒遅延、ディップスイッチ６１−２のみがオンの時は２秒遅延、ディップスイッチ６１−３のみがオンの時は４秒遅延、ディップスイッチ６１−４のみがオンの時は８秒遅延するようにしている。その他の遅延時間は、上記遅延時間を組み合わせて設定しており、例えば、３秒遅延させる時はディップスイッチ６１−１と６１−２のみオンさせており、７秒遅延させる時はディップスイッチ６１−１と６１−２と６１−３をオンさせている。このようにして、０秒から１５秒まで１秒毎に遅延時間を設定できるようにしている。
【００３６】
第二実施形態の遊技機用電源投入装置５０の電源供給回路への接続は第一実施形態の遊技機用電源投入装置１０と同様に電源投入装置５０を介して亘り接続されると共に各パチンコ機が接続されている。即ち、図２の電源供給回路２０で遊技機用電源投入装置１０を遊技機用電源投入装置５０に置き換えた状態で組み込まれている。よって、例えば、一つの島にパチンコ機が１５台接続されていれば、遊技機用電源投入装置５０も１５台接続している。
【００３７】
これら遊技機用電源投入装置５０の各ディップスイッチ６１−１〜４のオン・オフの設定を各装置毎に相違させることで、これら遊技機用電源投入装置５０へ接続された各パチンコ機への電源投入時間を相違させている。例えば、一台目の遊技機用電源投入装置５０を１秒遅延に設定し、２台目は２秒遅延、３台目は４秒遅延というふうに１５台目まで１秒ごとに遅延時間を相違させると、一つの島に電源を供給するブレーカーをオンさせても、各電源供給系統の１５台のパチンコ機全ての投入時間が異なり、よって、各パチンコ機のソフトウェアの立ち上がり時も全て異ならせることができ、１台のパチンコ機で大当たりの周期を当てられても他の台への普及を防止できる。
【００３８】
一つの島に１６台より多くのパチンコ機が接続されている場合、例えば、一つの島に２０台のパチンコ機を接続する場合であれば、０から１５秒までに１６台のパチンコ機を割り当てると共に１秒遅延、２秒遅延、３秒遅延、４秒遅延を各２台にすることで対応している。このようにすると、同じ時期に立ち上がるパチンコ機が１から４秒の間は２台生じることになるが、２０台のパチンコ機の中で何れのパチンコ機が同じ時期に立ち上がるかを判別するのは困難で、また、大当たりの波及は最大でも２台であるため現実的には被害を最小限に留めることが可能である。
【００３９】
なお、ディップスイッチの個数は上記のように４個に限定されるものではなく、使用状況等に応じて増減して種々の遅延時間を設定できるようにしてもよく、例えば、ディップスイッチの個数を５個にすると、２の５乗、即ち、３２通りの信号を形成でき、一つの島にパチンコ機を２０台程度接続する場合でも全て電源投入時間を相違できる。また、使用状況に応じて必ずしも全てのパチンコ機に電源投入装置５０を介在させる必要がないのは、第一実施形態と同様である。
【００４０】
図４は、参考の第三実施形態の遊技機用電源投入装置１００を示しており、該電源投入装置１００の内部回路は、第二実施形態の交流２４Ｖ対応の電源投入装置５０においてトランス５２及び接続電源出力部５０ｂを省いて電源投入回路５１のみにしたものと略一致させている。よって、電源投入装置１００もＩＣ、リレー、ダイオード等を備えると共に、ＩＣへの信号入力を行うディップスイッチ１０１−１〜４も設けている。尚、電源が入力される電源入力部１００ａはコンセントのオスタイプ、パチンコ機への遅延電源を出力する遅延電源出力部１００ｂはコンセントのメスタイプにしている。遅延時間の設定は、第二実施形態と同様にディップスイッチ１０１−１〜４のオン・オフの組み合わせで行っている。なおディップスイッチの個数の増減等は第二実施形態と同様に対応可能である。
【００４１】
上記電源投入装置１００は、図５（Ａ）に示す、電圧変換器であるトランス８０を各電源供給系統毎に有する従来の電源供給回路７０や、図５（Ｂ）に示す、パチンコ機５と同数のトランス８０’を用いて、トランス８０’毎にパチンコ機が接続されている電源供給回路７０’にも適用可能である。図５（Ａ）の場合であれば、各パチンコ機５の直前に電源投入装置１００を介在させることで、夫々パチンコ機５への電源投入時間を遅延させている。また、図５（Ｂ）の場合であれば、各トランス８０’と各パチンコ機５との間に電源投入装置１００を介在させて各パチンコ機５への電源投入時間を遅延させている。
【００４２】
なお、電源投入装置１００は内部回路を交流１００Ｖ対応にする共に、亘り接続用の接続電源出力部１００ｃ’を設けて、図５（Ｃ）に示す電源供給回路７０”においてトランス８０”の直前に電源投入装置１００’を接続するようにしてもよい。このようにしても各パチンコ機５への電源投入時間を各パチンコ機毎に相違させて遅延できる。
【００４３】
図６は、参考の第四実施形態の遊技機用電源投入装置１５０の内部回路であり、第一実施形態の交流１００Ｖ対応の遊技機電源投入装置１０においてトランス１２を省略した形態にしており、その他は略同一で電源入力部１５０ａ、亘り接続用の接続電源出力部１５０ｂ、パチンコ機への出力用の遊技機電源出力部１５０ｃを設けている。当該電源投入装置１５０は、第一実施形態と同様にリレー１４’の設定により接続及び遊技機電源出力部１５０ｂ、ｃより出力される電源を遅延させている。
【００４４】
上記電源投入装置１５０は、図５（Ｃ）に示す電源供給回路に適用可能であり、電源投入装置１５０で２秒遅延されるようしていれば、１台目のパチンコ機５には、ブレーカー７３のオン時から２秒遅延して電源が投入され、以下、電源投入時間が２秒毎蓄積されて、２台目は４秒遅延、３台目は６秒遅延というように電源投入時間を遅延させている。また、上記電源投入装置１５０の電源投入回路を交流２４Ｖ対応に変更した電源投入装置１５０’を用いると、図７に示す一つの電源供給系統でトランス８５により複数台のパチンコ機５を亘り接続する電源供給回路１２０においても各パチンコ機５への電源投入時間を遅延できる。
【００４５】
なお、本発明の遊技機用電源投入装置はパチンコ機だけでなく、スロットマシンや各種ゲーム機等にも適用可能であり、上述した各種実施形態以外にも設計変更程度の各種変更は本発明の技術的範囲に含まれるのはもちろんである。
【００４６】
【発明の効果】
上記した説明より明らかなように本発明の遊技機用電源投入装置を用いると、接続された各パチンコ機への電源投入時間を遅延させることができると共に、遅延時間も各パチンコ機毎に相違できるので、パチンコ機のソフトウェアの立ち上げも夫々相違でき、大当たりの波及を防ぐことができる。また、遊技機用電源投入装置自体も各種の形態が可能であり、パチンコ機が接続される電源供給回路に合わせて適宜、最適なものを適応できると共に、所要時間を確実に遅延させて電源を出力できる。
【図面の簡単な説明】
【図１】  本発明の第一実施形態における遊技機用電源投入装置の内部回路図である。
【図２】  上記電源投入装置を組み込んだ一つの島における電源供給回路図である。
【図３】  参考の第二実施形態における遊技機用電源投入装置の回路図である。
【図４】  参考の第三実施形態における遊技機用電源投入装置の外観平面図である。
【図５】  （Ａ）（Ｂ）（Ｃ）は上記第三実施形態の電源投入装置を電源供給回路に組み込んだ各種回路図である。
【図６】  参考の第四実施形態における遊技機用電源投入装置の内部回路図である。
【図７】  上記電源投入装置を組み込んだ電源供給回路図である。
【図８】  従来の一つの島における電源供給回路図である。
【符号の説明】
５            パチンコ機
１０            遊技機用電源投入装置
１０ａ          電源入力部
１０ｂ          電源出力部
１０ｃ          遅延電源出力部
１１            電源投入回路
１２            トランス
１４            リレー
２１            ブレーカー
６０            ＩＣ
６１−１〜４    ディップスイッチ
【図１】
0003720661.tif 000003
【図２】
0003720661.tif 000004
【図３】
0003720661.tif 000005
【図４】
0003720661.tif 000006
【図５】
0003720661.tif 000007
【図６】
0003720661.tif 000008
【図７】
0003720661.tif 000009
【図８】
0003720661.tif 000010